(57)【要約】【課題】電気炊飯器本体側の操作パネルを着脱可能として、取外し時にはリモートコントローラとして機能させる。【解決手段】内鍋と、該内鍋を取り出し可能に収納する炊飯器本体と、該炊飯器本体の上部開口を開閉自在に覆蓋する蓋体と、上記炊飯器本体または蓋体に設けられ、炊飯に必要な操作を行う操作パネルと、上記内鍋を加熱する炊飯加熱手段とを備えてなる電気炊飯器であって、上記操作パネルは、独立した操作ユニット部材として、上記炊飯器本体または蓋体に対して着脱可能に取り付けられており、上記炊飯器本体または蓋体から取り外された単独の状態では、リモートコントローラとして機能するように構成した。【選択図】        図１
2011160960.tif 000002
【特許請求の範囲】
【請求項１】
内鍋と、該内鍋を取り出し可能に収納する炊飯器本体と、該炊飯器本体の上部開口を開閉自在に覆蓋する蓋体と、上記炊飯器本体または蓋体に設けられ、炊飯に必要な操作を行う操作パネルと、上記内鍋を加熱する炊飯加熱手段とを備えてなる電気炊飯器であって、上記操作パネルは、独立した操作ユニット部材として、上記炊飯器本体または蓋体に対して着脱可能に取り付けられており、上記炊飯器本体または蓋体から取り外された単独の状態では、リモートコントローラとして機能するように構成されていることを特徴とする電気炊飯器。
【請求項２】
独立した操作部材としてユニット化された操作パネルは、密閉構造に形成されていることを特徴とする請求項１記載の電気炊飯器。
【請求項３】
炊飯器本体側のクロック信号発生手段としてはセラミック発振子が、操作パネル側のクロック信号発生手段としては水晶発振子が採用されていることを特徴とする請求項１又は２記載の電気炊飯器。
【請求項４】
炊飯器本体側または蓋体側の操作パネル取付部は、炊飯器本体内部または蓋体内部に連通しない操作パネル嵌合溝を有して構成されていることを特徴とする請求項１，２又は３記載の電気炊飯器。
【発明の詳細な説明】
【技術分野】
【０００１】
本願発明は、炊飯器本体に対して着脱自在なリモコンを備えた電気炊飯器の構成に関するものである。
【背景技術】
【０００２】
電気炊飯器では、マイコン制御手段を備え、例えば白米、無洗米、早炊き、すしめし、炊き込み、玄米、おかゆ等の各種の炊飯メニューの選択設定と、それらに対応した炊飯工程の制御並びに保温制御を行えるようにしたものが多くなっている。また、保温の場合にも、例えば標準保温やつやつや保温などの保温メニューに加え、高め、低め、標準等任意の保温温度の設定なども可能となっている。
【０００３】
これら各種炊飯又は保温メニューの選択設定等は、炊飯器本体の外ケース前面側に設置されている各種の操作キーおよび表示部を備えた操作パネルを使用して行われるようになっており、操作キーにより必要な選択設定操作が行われると、その設定メニュー、設定内容が当該表示部に表示され、それに対応した炊飯又は保温メニューのプログラムが上記マイコン制御手段側のメモリ部から自動的に読み出されて、適切な炊飯又は保温制御が実行されるようになっている（例えば特許文献１を参照）。
【０００４】
そして、最近では、以上の操作パネルを、内鍋を収容する本体側のみではなく、蓋体に設けるようにしたものも提供されるようになっている。
【０００５】
このようなものの場合、蓋を拭き洗いする時に、電気系統部分に、水が侵入するのを防止し、また拭き洗いしやすいように、上記操作パネル部分を蓋体と別体に構成し、必要に応じて蓋体から取り外せるようにしたものもある（例えば特許文献２を参照）。
【先行技術文献】
【特許文献】
【０００６】
【特許文献１】特開平１１−１３７４２１号公報
【特許文献２】特許第２６２７０２８号公報
【発明の概要】
【発明が解決しようとする課題】
【０００７】
ところで、上述のような操作パネルの場合、同操作パネルが内鍋を収容する炊飯器本体側に設置されていると、炊飯器を床面側に置いて使用する時に操作しにくい。他方、同操作パネルを蓋体の上面側に設置した場合には、そのような欠点を解決することができるものの、棚などに収納した時に使いづらくなる。
【０００８】
上述した従来例の内の後者のものの場合、一応操作パネル部を炊飯器本体側の蓋体から取り外せるようになっているが、同構成では、取り外した状態で操作パネルが機能するようになっているわけではないので、取り外した状態では電気炊飯器自体を操作することができない。
【０００９】
本願発明は、このような事情に基いてなされたもので、操作パネルをユニット化し、電気炊飯器に対して着脱可能に取り付けるとともに、取り外した状態ではリモートコントローラとなるようにすることによって、分離した所望の位置から自由に電気炊飯器の操作を行えるようにした電気炊飯器を提供することを目的とするものである。
【課題を解決するための手段】
【００１０】
本願各発明は、上記の目的を達成するために、それぞれ次のような課題解決手段を備えて構成されている。
【００１１】
（１）  請求項１の発明
この発明の電気炊飯器は、内鍋と、該内鍋を取り出し可能に収納する炊飯器本体と、該炊飯器本体の上部開口を開閉自在に覆蓋する蓋体と、上記炊飯器本体または蓋体に設けられ、炊飯に必要な操作を行う操作パネルと、上記内鍋を加熱する炊飯加熱手段とを備えてなる電気炊飯器であって、上記操作パネルは、独立した操作ユニット部材として、上記炊飯器本体または蓋体に対して着脱可能に取り付けられており、上記炊飯器本体または蓋体から取り外された単独の状態では、リモートコントローラとして機能するように構成されていることを特徴としている。
【００１２】
すなわち、このような構成では、電気炊飯器自体を例えば床面、棚内、卓上など何処に置こうが、その設置場所に応じ、電気炊飯器側へ固定した状態では操作しにくい場合には、取り外してリモートコントローラとして使用することができる。
【００１３】
したがって、上述した従来の問題は、確実に解消される。
【００１４】
また、消費電力を低減することができる。
【００１５】
（２）  請求項２の発明
この発明の電気炊飯器は、上記請求項１の発明の課題解決手段の構成において、上記独立した操作部材としてユニット化された操作パネルは、密閉構造に形成されていることを特徴としている。
【００１６】
このような構成によると、ゴキブリ等の虫が侵入しなくなるとともに、例えば固定状態で蓋体に設置するようにした場合など、蒸気逃がし口から侵入するオネバへの対策としても有効になる。
【００１７】
（３）  請求項３の発明
この発明の電気炊飯器は、上記請求項１又は２の発明の課題解決手段の構成において、炊飯器本体側のクロック信号発生手段としてはセラミック発振子が、操作パネル側のクロック信号発生手段としては水晶発振子が採用されていることを特徴としている。
【００１８】
このような構成によると、ＡＣ電源があって時計表示用および制御用の各クロック信号が必要な時と、ＡＣ電源がなく、基本的に時計表示用のクロック信号のみで良い場合との効率的かつ省エネルギーな使い分けが可能となる。
【００１９】
（４）  請求項４の発明
この発明の電気炊飯器は、上記請求項１，２又は３の発明の課題解決手段の構成において、炊飯器本体側または蓋体側の操作パネル取付部は、炊飯器本体内部または蓋体内部に連通しない操作パネル嵌合溝を有して構成されていることを特徴としている。
【００２０】
このような構成によると、嵌合溝内に嵌合するだけで、容易かつ確実に操作パネルを電気炊飯器側に取り付けられるとともに、また蓋体部に嵌合溝を形成した時など、オネバが侵入しても何ら問題なく使用することができる。
【発明の効果】
【００２１】
以上の結果、本願発明によると、電気炊飯器の設置場所等による制約を受けることなく、自由な操作が可能な利便性に優れた電気炊飯器を提供することができる。
【図面の簡単な説明】
【００２２】
【図１】本願発明の実施の形態１に係る電気炊飯器の操作パネル設置状態における全体的な構成を示す中央縦断面図である。
【図２】同電気炊飯器本体の要部である操作パネル部分の構成を示す拡大正面図である。
【図３】同電気炊飯器の図１と同様の状態における全体的な構成を示す正面図である。
【図４】同電気炊飯器の操作パネル取り外し状態における全体的な構成を示す拡大正面図である。
【図５】同電気炊飯器本体の操作パネル嵌合溝から取り外された状態の操作パネルの構成を示す断面図である。
【図６】本願発明の実施の形態３に係る電気炊飯器の操作パネルおよび操作パネル嵌合溝部分の構成を示す断面図である。
【図７】本願発明の実施の形態４に係る電気炊飯器の操作パネルおよび操作パネル嵌合溝部分の構成を示す断面図である。
【図８】同電気炊飯器の操作パネル立設状態の構成を示す断面図である。
【図９】同電気炊飯器の操作パネル立設状態における支持プレート係合部分の構成を示す断面図である。
【図１０】本願発明の実施の形態５に係る電気炊飯器の蓋体側への操作パネル設置状態における全体的な構成を示す中央縦断面図である。
【図１１】同電気炊飯器の図１０の状態における全体的な構成を示す平面図である。
【図１２】同電気炊飯器の炊飯器本体側への操作パネル設置状態における全体的な構成を示す中央縦断面図である。
【図１３】同電気炊飯器の図１２の状態における全体的な構成を示す正面図である。
【発明を実施するための形態】
【００２３】
（実施の形態１）
図１〜図５は、蓋体の上部に着脱可能なリモコン型の操作パネルを備えた本願発明の実施の形態１に係る電気炊飯器の構成を示している。
【００２４】
（炊飯器本体の構成）
先ず、本願発明の実施の形態における電気炊飯器Ａでは、図１に示すように、例えば内鍋（飯器ないし保温容器）３として鉄系の金属材料からなる鍋が採用されている。
【００２５】
すなわち、該電気炊飯器は、同構成の内鍋３と、該内鍋３を任意にセットし得るように形成された下部側皿状の底壁部４ａおよび上部側筒状の側壁部４ｂよりなる内ケース（保護枠）４と、該内ケース４を保持する外部筺体である有底筒状の外ケース１と、該外ケース１と上記内ケース４とを肩部材５を介して一体化して形成された炊飯器本体の上部に開閉可能に設けられた蓋ユニット（先に述べた蓋体に相当する）２とから構成されている。
【００２６】
上記内ケース４の底壁部（底部）４ａの下方側にはコイルカバー９が設けられ、その下部にはフェライトコア７を配置し、またその上部には、上記内鍋３の底壁部３ａの下面側と側部湾曲面に対応して各々リッツ線が同心状に巻成された第１，第２の２組のワークコイルＣ１，Ｃ２が設けられており、それにより通電時には内鍋３にうず電流を誘起して、内鍋３を加熱するようになっている。
【００２７】
内ケース４の下部側皿状の底壁部４ａは、中央部にセンターセンサー用の嵌合口が形成されている一方、上部側筒状の側壁部４ｂの上端は、内枠部材を介して炊飯器本体側上端の肩部材５に連結して固定されている。
【００２８】
また、上記内ケース４の上部側筒状の側壁部４ｂの外周には、炊飯および保温時において加熱手段として機能する側面ヒータ（保温ヒータ）Ｈ１が設けられており、炊飯時および保温時において上記内鍋３の全体を有効かつ均一に加熱するようになっている。
【００２９】
そして、それらワークコイルＣ１，Ｃ２、保温ヒータＨ１と後述する蓋ヒータＨ２の各々を、内鍋３に近い炊飯器本体側の制御基板３５（制御基板カバー３６により保持）と蓋ユニット２側操作パネル２１内のマイコン基板２５とによって、適切に駆動制御することによって、適切な炊飯／調理機能と保温機能とを実現できるようになっている。
【００３０】
一方、上記蓋ユニット２は、その外周面を構成する合成樹脂製の外カバー１０Ａと、該外カバー１０Ａの外周縁部内側における同じく合成樹脂製の内枠１０Ｂと、該内枠１０Ｂの下面側に取り付けられた蓋ヒータＨ２付きの放熱板１１と、該放熱板１１の下方に着脱可能に設けられた内カバー１２とによって図示のような中空構造に形成されている。
【００３１】
そして、この蓋ユニット２は、上記肩部材５の後端側に対してヒンジカバー１４ｂによりカバーされたヒンジ機構１４ａを介して上下方向に回動自在に取り付けられており、その開放端内側（前端内側）は、外ケース１の前面側上部位置に設けられているロック機構（ロック・アンロック機構）１５のロック爪１５ａが係合されるようになっている。
【００３２】
また、符号１６は、上記蓋ユニット２の中央部に設けられた蒸気逃がし通路、１７は同蒸気逃がし通路１６の下部に着脱可能に設けられたおねば戻し機能を有する蒸気放出パイプである。
【００３３】
そして、同蓋ユニット２の外カバー１０Ａの前部中央には、当該炊飯器の操作部および表示部を構成する操作パネル２１嵌合用の凹溝部１０ａが形成されており、同凹溝部１０ａ部分に外カバー１０Ａの外周面と連続する外周面を形成する形で操作パネル２１が嵌合されるようになっている。
【００３４】
該操作パネル２１は、例えば図１、図２、図５に示されるように、密閉された薄型のボックス構造（合成樹脂製）のものよりなり、上記凹溝部１０ａ内に着脱自在に嵌合して収納されている。そして、その上部側部材２１ａの上方側中央部に液晶パネル２４に対応する透明窓２１ｂを有するとともに、その周囲には、タイマー炊飯用の炊飯予約スイッチ２２ａ、炊飯スイッチ２２ｂ、保温取消スイッチ２２ｃ、炊飯メニュー（例えば白米、早炊き、おこわ、おかゆ、玄米その他）を指定するメニュースイッチ２２ｄ、時計及びタイマーの時刻時設定スイッチ２２ｅ、時計及びタイマーの時刻分設定スイッチ２２ｆが設けられている。
【００３５】
一方、同操作パネル２１の内側には、上記各種スイッチ２２ａ〜２２ｆのスイッチ部品およびそれら操作スイッチ２２ａ〜２２ｆの操作状態表示制御機能、上記第１，第２のワークコイルＣ１，Ｃ２、保温ヒータＨ１、蓋ヒータＨ２各々への通電制御機能を有するマイコン制御ユニットを備えたマイコン基板（電気回路基板）２５とともに液晶パネル２４がそれぞれ上記操作パネル面（上部側部材の上面）に対して所定の相対角を有した状態で設けられている。
【００３６】
液晶パネル２４は、上記操作パネル２１の上記透明窓２１ｂに対応して設けられており、同透明窓２１ｂ部分の前傾角（ここで前傾角とは、図１、図５中に示す蓋ユニット２上面の水平面に対して、図面左側（前側）が低くなる傾斜角を指称している）よりも所定角以上大きな前傾角を有して、液晶パネルホルダー２６により支持されている。
【００３７】
またマイコン基板２５は、上記操作パネル２１の全体に対応し、かつ上記液晶パネル２４よりも下方側に位置して、上記操作パネル２１の前傾角よりも小さな前傾角を有して、上記操作パネル２１の下面上（ボックス内の底壁部上面側）に設置されている。
【００３８】
一方、操作パネル２１内の前端側（図１、図５の右側）には、図示のようにリモコン用の赤外線発光部２７が設けられており、前面壁側の送信用発光レンズ２７ａを介して前方に所定の周波数の赤外光を送信するようになっている。
【００３９】
他方、操作パネル嵌合溝１０ａ内の対応する外カバー縦壁部分には、対応する受光レンズ２８ａを介して内側の受光部２８に上記操作パネル２１の発光部２７側からの所定の周波数の赤外光（図５のａ参照）を受信して、必要な情報を読み取り、必要な制御を行う受光手段が設けられている。
【００４０】
また、この受光手段と同様の受光レンズ５１ａおよび受光部５１は、例えば図１および図３、図４に示されるように、上記炊飯器本体側外ケース１の正面部にも設けられており、上記操作パネル２１が、例えば図４および図５のように、上記操作パネル嵌合溝１０ａ内から取り出され、単体で使用される時には、所定の位置から上記発光部２７および発光レンズ２７ａを同受光部５１の受光レンズ５１ａに向けて、上述の各種操作スイッチ２２ａ〜２２ｆを操作すると、そのままリモートコントローラとして使用することができ、炊飯器本体側の制御回路に必要な入力を行うことができるようになっている。
【００４１】
また、逆に同操作パネル２１を上述の操作パネル嵌合溝１０ａ内に戻せば、従来のものと同様の固定状態での操作パネルとして使用することができる。
【００４２】
なお、図１、図５中の符号２９は、動作電源用の乾電池であり、必要に応じて交換できるようになっている。
【００４３】
以上のように、この発明の電気炊飯器は、内鍋と、該内鍋を取り出し可能に収納する炊飯器本体と、該炊飯器本体の上部開口を開閉自在に覆蓋する蓋体と、上記炊飯器本体または蓋体に設けられ、炊飯に必要な操作を行う操作パネルと、上記内鍋を加熱する炊飯加熱手段とを備えてなる電気炊飯器であって、上記操作パネルは、独立した操作ユニット部材として、上記炊飯器本体または蓋体に対して着脱可能に取り付けられており、上記炊飯器本体または蓋体から取り外された単独の状態では、リモートコントローラとして機能するように構成されている。
【００４４】
このような構成では、電気炊飯器自体を例えば床面、棚内、卓上など何処に置こうが、その設置場所に応じ、電気炊飯器側へ固定した状態では操作しにくい場合には、取り外してリモートコントローラとして使用することができる。
【００４５】
したがって、上述した従来の問題は、確実に解消される。
【００４６】
また、乾電池を動作電源としているので、その分だけ消費電力を低減することができ、省エネ性能が向上する。
【００４７】
また、電池の交換も容易である。
【００４８】
この発明の電気炊飯器では、また上記独立した操作部材としてユニット化された操作パネルが、密閉構造に形成されている。
【００４９】
このような構成によると、ゴキブリ等の虫が侵入しなくなるとともに、例えば蓋体に取り付けるようにした場合において、蒸気逃がし口から侵入するオネバ等への対策としても有効になる。
【００５０】
また、この発明の電気炊飯器では、上記の構成に加えて、必要に応じて上記炊飯器本体側のクロック信号発生手段としてはセラミック発振子が、また操作パネル側のクロック信号発生手段としては水晶発振子が採用される。
【００５１】
このような構成によると、ＡＣ電源があって時計表示用および制御用の各クロック信号が必要な時と、ＡＣ電源がなく、基本的に時計表示用のクロック信号のみで良い場合との効率的かつ省エネルギーな使い分けが可能となる。
【００５２】
また、この発明の電気炊飯器では、上記炊飯器本体側または蓋体側の操作パネル取付部は、図示の如く、炊飯器本体内部または蓋体内部に連通しない操作パネル嵌合溝を有して構成されている。
【００５３】
このような構成によると、嵌合溝内に嵌合するだけで、容易かつ確実に操作パネルを電気炊飯器側に取り付けられるとともに、また蓋体部に嵌合溝を形成した時など、オネバが侵入しても何ら問題なく使用することができる。
【００５４】
これらの結果、本願発明によると、電気炊飯器の設置場所等による制約を受けることなく、自由な操作が可能な利便性に優れた電気炊飯器を提供することができる。
【００５５】
（実施の形態２）
この実施の形態は、上述した実施の形態１のリモコン型操作パネル２１に対して、電気炊飯器本体Ａ側との通信機能を設け、電気炊飯器本体Ａ側の炊飯状況等を別の部屋など離れた所に居るユーザーに報知できるようにしたことを特徴とするものである。
【００５６】
ユーザーの中には、電気炊飯器の炊飯を開始させてから、別の部屋で仕事をするなど長い時間過ごす人もある。このような場合、炊飯が終了しているにもかかわらず、ユーザーが気付かないケースも生じる。
【００５７】
そこで、前述した実施の形態１のリモコン型操作パネル２１に対して、電気炊飯器本体Ａ側との通信機能を設け、電気炊飯器本体Ａ側の炊飯状況等を別の部屋など離れた所に居るユーザーに対して、炊飯の完了または後数分で炊飯が完了することなどの炊飯状況を画像または音声で報知できるようにする。
【００５８】
このようにすると、上述した操作パネル２１のリモコン機能を、さらに有効で利便性の高いものにすることができる。
【００５９】
（実施の形態３）
この実施の形態は、例えば図６に示すように、上述した実施の形態１のリモコン型操作パネル２１における乾電池２９を充電型の電気２重層コンデンサ４２に変更し、上記リモコン型の操作パネル２１を電気炊飯器本体Ａ側の操作パネル嵌合溝１０ａ内に嵌合セットした時に、所定の電力伝送手段により電磁結合させて充電可能としたことを特徴とするものである。
【００６０】
図中、符号４１は当該電気炊飯器の蓋ユニット２側１次コイル４１ａから操作パネル２１側２次コイル４１ｂに所定の電圧降下比（または同じ電圧比）で電源を供給する例えば電源トランス構造の電力伝送手段であり、操作パネル２１側の２次コイル４１ｂの出力側には操作パネル２１側電気回路の動作電源となる電気２上層コンデンサ４２が接続されている。
【００６１】
そして、上記蓋体２側電源回路からの電源が上記１次コイル４１ａを介して上記操作パネル２１側の２次コイル４１ｂに相互の巻数比に応じて誘起され、同誘起された電圧が電源電圧として上記電気２上層コンデンサ４２に蓄電され、当該嵌合時およびリモコン時の動作電源として使用される。
【００６２】
このような構成の場合、実施の形態１の場合のような電池交換が不要となり、より便利になる。
【００６３】
（実施の形態４）
この実施の形態は、上述した実施の形態１のようにリモコン型操作パネル２１を単に電気炊飯器本体側の嵌合溝１０ａ内に、そのまま嵌合するのではなく、例えば図７に示すように、同嵌合溝１０ａ内に回動（傾動）可能な可動型ホルダー３０を設けて、上記実施の形態１のような平面状態での設置のみでなく、所望の立設角を有して設置できるようにしたことを特徴とするものである。
【００６４】
すなわち、この実施の形態の構成では、例えば図７および図８に示すように、操作パネル嵌合溝１０ａ内に上記実施の形態１のものと同様のリモコン型操作パネル２１を嵌合セットすることができる断面コ字形のホルダー部３０ａを備えた可動型ホルダー３０が、その円形の前端側をヒンジ軸３１を介して上下方向に回動可能に軸支されており、上記実施の形態１と同様のリモコン型の操作パネル２１は、同可動型ホルダー３０の断面コの字形のホルダー部３０ａ部分に嵌合セットされた状態で、図示のように水平面状態（図７）から所定の前傾角状態（図８）まで任意に回動調節されるようになっている。
【００６５】
ホルダー部３０ａは、上述のように上方側に開いた断面コの字形の形状をなし、その後端側には枢着軸３２を介して、同じく断面コの字形の支持プレート３０ｂが相対回動自由に枢着されている。
【００６６】
この支持プレート３０ｂ部分は、図７のような完全に嵌合された水平状態では、上記ホルダー部３０ａと同一方向に連続する略一体のホルダー部となって、実質的に操作パネル嵌合溝１０ａの底部を形成する一方、ホルダー部３０ａが図８のように上方に起されて所定の起伏角度θに立設されるとホルダー部３０ａの後端側からくの字状に折れて、操作パネル２１の背面側を支持する安定した支持部材となる。
【００６７】
この場合、蓋体２側の操作パネル嵌合溝１０ａの底部に、例えば図９のような前面側が上下方向にストレートで、背面側が前側から後側に下降傾斜した山形の凹凸部Ｍを形成すると、上記支持プレート３０ｂが、後方にズレることなく、確実に係合されて上記所定の立設角θのくの字角状態を維持して安定した支持機能を果たす。
【００６８】
また、その凹凸部Ｍとの係合位置を前側または後側に変えると、上記操作パネル２１自体の後方への傾斜角θ（図８参照）が変わる。
【００６９】
したがって、上述した実施の形態１の電気炊飯器本体Ａを棚等に設置したような場合にも、操作パネル２１を見やすく、かつ操作しやすい角度に設定することができる。
【００７０】
そして、この場合にも、操作パネル２１を上記ホルダー部３０ａから取り出せば、上記実施の形態１のものと全く同様のリモコン型の操作パネル２１となる。
【００７１】
（実施の形態５）
この実施の形態は、上記実施の形態１のものと同様のリモコン型操作パネル２１を、上記実施の形態１のような蓋体２側だけでなく、炊飯器本体１側にも嵌合セットできるようにし、１つの電気炊飯器Ａで、リモコン型の操作パネル２１を、（１）蓋体２の上面に取り付けた場合（図１０，図１１参照）、（２）炊飯器本体１の正面に取り付けた場合（図１２，図１３参照）、（３）蓋体２または炊飯器本体１から取り外しリモートコントローラとした場合（実施の形態の図５参照）の３つの操作形態を実現することができるようにしたことを特徴とするものである。
【００７２】
そのために、この実施の形態では、例えば図１０，図１２に示すように、上記実施の形態１のような蓋体２上面側の第１の操作パネル嵌合溝１０ａに加えて、炊飯器本体１の正面側にも同様の第２の操作パネル嵌合溝１ａを備えている。そして、これら第１，第２の操作パネル嵌合溝１０ａ，１ａは、使用されない方の操作パネル嵌合溝（図１０の１ａ、図１２の１０ａ）の方を周囲の面と区別しにくいダミーの面カバー５０を着脱自在に冠合することにより隠して置く。
【００７３】
このような構成によると、その時の電気炊飯器Ａの置き場所に応じて、例えば図１１又は図１３のように、操作パネル２１の取付場所を変えることにより、見やすく、かつ操作しやすいようにすることができる。したがって、さらに利便性が向上する。また、好みに応じたデザイン変更も可能となる。
【００７４】
なお、この実施の形態では、電気炊飯器本体Ａとして、主ヒータＨ１１を備えたヒータプレートＨＰによる内鍋加熱方式を採用し、これに保温ヒータＨ１２、蓋ヒータＨ１３を付加したものを採用している。
【００７５】
また、符号１３は断熱材を示している。
【符号の説明】
【００７６】
１は外ケース、１ａは第２の操作パネル嵌合溝、２は蓋ユニット、３は内鍋、４は内ケース、５は肩部材、１０ａは操作パネル嵌合溝（第１）、２１は操作パネル、２１ａは操作キー設置面、２１ｂは透明窓、２４は液晶パネル、２５はマイコン基板、２７は発光部、２８は受光部、４１は電力伝送手段、４１ａは１次コイル、４１ｂは２次コイル、４２は電気２上層コンデンサ、５１は受光部である。
【図１】
2011160960.tif 000003
【図２】
2011160960.tif 000004
【図３】
2011160960.tif 000005
【図４】
2011160960.tif 000006
【図５】
2011160960.tif 000007
【図６】
2011160960.tif 000008
【図７】
2011160960.tif 000009
【図８】
2011160960.tif 000010
【図９】
2011160960.tif 000011
【図１０】
2011160960.tif 000012
【図１１】
2011160960.tif 000013
【図１２】
2011160960.tif 000014
【図１３】
2011160960.tif 000015